(57)【要約】【課題】配線部材の設計変更に柔軟に対応しつつ、安価に防水構造を実現しうる配線体等を提供する。【解決手段】配線体は、電子機器の筐体の貫通穴に嵌合する嵌合部１５を備えている。嵌合部１５において、第１，第２補強板１１ａ，１１ｂが、第１，第２接着剤層１４ａ，１４ｂによって、ＦＰＣ２１に固着されている。各補強板１１ａ，１１ｂの溝部１２には、Ｏリング１３が取り付けられている。Ｏリング１３は、ＦＰＣ２１を挟んで、各補強板１１ａ，１１ｂを締結している。筐体の貫通穴には、Ｏ型溝が形成されている。そして、嵌合部１５中のＯリング１３が貫通穴のＯ型溝に嵌合する。補強板１１ａ，１１ｂは、配線部材の設計変更に柔軟に対応でき、安価に製造することができる。【選択図】図４
2010034170.tif 000002
【特許請求の範囲】
【請求項１】
電子機器の筐体に設けられた貫通穴から一部が挿入される配線体であって、
平板状の配線部材と、
前記配線部材の両面にそれぞれ接着された１対の補強板，および該各補強板に固定されたシール部材を含み、前記貫通穴に嵌合される嵌合部と、
を備えている、配線体。
【請求項２】
請求項１記載の配線体において、
前記補強板は、平板状の部材である、配線体。
【請求項３】
請求項１記載の配線体において、
前記１対の補強板は、配線部材の両面側で、配線部材の長さ方向に沿って互いに逆向きに傾斜した板状の部材である、配線体。
【請求項４】
請求項１〜３のうちいずれか１つに記載の配線体において、
前記シール部材は、前記各補強板に溝部を介して固定されている、配線体。
【請求項５】
請求項１〜４のうちいずれか１つに記載の配線体において、
前記配線部材は、フレキシブルプリント配線板である、配線体。
【請求項６】
請求項１〜５のうちいずれか１つに記載の配線体において、
前記シール部材は、Ｏリングである、配線体。
【請求項７】
請求項１〜５のうちいずれか１つに記載の配線体において、
前記シール部材は、熱収縮チューブである、配線体。
【請求項８】
請求項１〜７のうちいずれか１つに記載の配線体と、
前記配線体の嵌合部が嵌合される貫通穴を有する筐体と、
を備えている接続構造。
【請求項９】
請求項８記載の接続構造において、
前記貫通穴は、筐体の板面に垂直な方向から傾いている、接続構造。
【請求項１０】
請求項９記載の接続構造において、
前記筐体は、２つの筐体であり、
前記配線体は、前記２つの筐体の各貫通穴に嵌合される２つの嵌合部を有している、接続構造。
【請求項１１】
請求項８〜１０のうちいずれか１つに記載の接続構造を有する電子機器。
【発明の詳細な説明】
【技術分野】
【０００１】
本発明は、携帯端末，ＰＤＡ，パソコン等に接続される配線体，その接続構造およびこれを備えた電子機器に関する。
【背景技術】
【０００２】
従来より、携帯端末などの電子機器の筐体の貫通孔のシール構造を有するＦＰＣ一体ガスケットが知られている。
特許文献１の図１〜図３には、ＦＰＣ３０と一体でグロメット状に形成されたＦＰＣ一体ガスケットが開示されている。ＦＰＣ一体ガスケット１には、ゴム状弾性体からなる１対のガスケット１０が設けられている。各ガスケット１０の先端部には、筐体２の貫通孔３をシールする突起５０が設けられている。突起５０は、筐体２の貫通孔３の径よりも大きい断面積面５２から先端面５４に向かって傾斜するテーパ面５３を有している。
【０００３】
上記ＦＰＣ一体ガスケットにおいて、突起５０を貫通孔３の端部に密着させると、筐体２内部への浸水が阻止される。すなわち、１対のガスケット１０により、２つの筐体２の防水を図りつつ、各筐体２内の回路間の電気信号の授受が可能となる。
【特許文献１】登録実用新案３１２７０７１号公報
【発明の開示】
【発明が解決しようとする課題】
【０００４】
しかしながら、上記従来のＦＰＣ一体ガスケットにおいては、以下のような不具合があった。
第１に、突起１０とＦＰＣ３０を一体的に成形する金型などが必要である。そのため、ＦＰＣの設計変更のたびに新たな射出成形金型が必要になり、コストが高くなる。
第２に、ＦＰＣ３０と一体成形するので、ガスケット１０を構成するゴム状弾性体の材料が限られる。
【０００５】
本発明の目的は、ＦＰＣ等の配線部材の設計変更にも柔軟に対応でき、安価な配線体およびこれを利用した電子機器等を提供することにある。
【課題を解決するための手段】
【０００６】
本発明の配線体は、電子機器の筐体に設けられた貫通穴から一部が挿入される配線体である。配線体は、平板状の配線部材の両面に接着された補強板を備えている。さらに、補強板に係合するとともに、筐体の貫通穴に嵌合されるシール部材を備えている。
【０００７】
これにより、以下の作用効果が得られる。
補強板は、簡素な構造を有しており、射出成型を利用しなくても製造可能である。したがって、配線部材の設計変更にも柔軟に対応が可能である。また、補強板やシール部材は、ＦＰＣ等と一体成形する必要がないので、材料の選択幅も拡大される。よって、簡素な構造の補強板とシール部材とにより、安価に防水構造を実現することができる。
【０００８】
補強板のもっとも簡単な構造は、平板状である。これにより、製造コストを極力低減することができる。
【０００９】
補強板が、配線部材の両面側で互いに反対方向に傾斜していることにより、以下の作用効果が得られる。配線体を筐体の貫通穴に挿入すると、配線部材が、筐体の板面に垂直な方向から傾いている。したがって、配線部材に張力が加わったときにも、補強板やシール部材に加わる曲げ力が低減され、シール性が高く維持される。
また、筐体の外部において、配線部材が板面に近づくので、配線部材の高さ位置を低くすることができる。よって、たとえば、スライド式携帯端末のように、スライド部の高さ方向のスペースを節約したい構造に適した接続構造となる。
【００１０】
平板状の配線体としては、フレキシブルプリント配線板（以下、「ＦＰＣ」と略する。）や、フラットケーブルなどがある。シール部材には、Ｏリングや熱収縮チューブがある。
シール部材は、Ｏリングのように、補強板に溝部を介して固定されていてもよいし、熱収縮チューブのように、熱収縮力によって固定されていてもよい。ただし、熱収縮チューブが、補強板に溝部を介して固定されていてもよい。溝部は、底付き溝であってもよいし、貫通溝であってもよい。
【００１１】
本発明の接続構造は、上記配線体と、配線体のシール部材が嵌合される貫通穴を有する筐体とを備えている。
特に、配線体が、２つの筐体の各貫通穴に嵌合される２つの嵌合部を有していることが好ましい。これにより、２つの筐体内部の回路間、信号の授受を行う際に、湿気や水の浸入を確実に防止することができる。
なお、貫通穴を筐体の板面から傾けることによっても、スライド式形態端末等に適した接続構造が得られる。
【００１２】
本発明の電子機器は、上記接続構造を有するものであり、安価で防水構造を有する電子機器が得られる。代表的な例としては、表示部筐体と入力部筐体とがヒンジ部を介して連結された携帯端末がある。その場合、配線体は、ヒンジ部から各筐体の貫通穴を経て、各筐体の内部回路に接続される。また、配線体の２つの嵌合部は、各筐体の貫通穴に嵌合されている。
【発明の効果】
【００１３】
本発明の配線体，接続構造または電子機器によると、配線部材の設計変更に柔軟に対応しつつ、安価に防水構造を実現することができる。
【発明を実施するための最良の形態】
【００１４】
（実施の形態１）
図１は、本発明の実施の形態１に係る携帯端末（電子機器）の構造を概略的に示す斜視図である。
携帯端末１は、各種情報を表示するための表示部３と、入力部４と、ヒンジ部５とを備えている。表示部３には、液晶表示パネルを用いた表示装置６やスピーカ等が設けられている。入力部４には、入力キーやマイクが設けられている。ヒンジ部５は、入力部４と表示部３とを回動自在に連結している。
【００１５】
図２は、実施の形態１に係る携帯端末１のヒンジ部３を介した接続部分の構成を示す断面である。図３は、配線体２０の平面図である。
表示部３には、表示部筐体３１と、表示部基板３５とが主要部材として設けられている。表示部基板３５は、表示装置６に表示用信号を送るための回路等を備えている。表示部筐体３１は、互いに連結された第１筐体３１ａと第２筐体３１ｂとを有している。そして、第１筐体３１ａと第２筐体３１ｂとの間に、貫通穴３３が設けられている。
【００１６】
入力部４には、入力部筐体４１と、入力部基板４５とが主要部材として設けられている。入力キー基板４５は、入力キーから送られる信号を制御するための回路等を備えている。入力部筐体４１は、互いに連結された第１筐体４１ａと第２筐体４１ｂとを有している。そして、第１筐体４１ａと第２筐体４１ｂとの間に、貫通穴４３が設けられている。
【００１７】
また、ヒンジ部５を経て、入力キー基板４５と表示部基板３５とを接続する配線体２０が設けられている。配線体２０は、ＦＰＣ２１と、ＦＰＣ２１の両端に設けられたハーネス部２５ａ，２５ｂとを備えている。各ハーネス部２５ａ，２５ｂは、各基板３５，４５に接続されて、信号の授受ができるように構成されている。
さらに、配線体２０には、各筐体３１，４１の貫通穴３３，４３に嵌合される嵌合部１５が２カ所に設けられている。
【００１８】
図４（ａ），（ｂ）は、順に、嵌合部１５の断面図および平面図である。同図に示すように、嵌合部１５は、第１，第２補強板１１ａ，１１ｂを備えている。各補強板１１ａ，１１ｂは、第１，第２接着剤層１４ａ，１４ｂによって、ＦＰＣ２１に固着されている。各補強板１１ａ，１１ｂの溝部１２には、Ｏリング１３が取り付けられている。Ｏリング１３は、ＦＰＣ２１を挟んで、各補強板１１ａ，１１ｂを締結している。
【００１９】
図２の部分拡大図に示すように、表示部筐体３１の貫通穴３３には、Ｏ型溝３３ａが形成されている。図示しないが、同様に、入力部筐体４１の貫通穴４３にも、同じ形状のＯ型溝（図示せず）が形成されている。そして、嵌合部１５中のＯリング１３が貫通穴３３，４３のＯ型溝３３ａ等に嵌合している。
【００２０】
以上の構造により、各筐体３１，４１の内部がシールされて、各基板３５，４５への水や湿気の浸入が妨げられる。したがって、本実施の形態の携帯端末１は、水中や多湿環境下で使用可能な防水構造を有している。
【００２１】
補強板１１ａ，１１ｂは、以下の方法により形成するこができる。
第１の方法としては、ガラスエポキシ樹脂等の平板に、機械加工等により溝部を形成する方法がある。第２の方法としては、押し出し成形により、連続した溝付き平板を形成し、これを切断する方法がある。第３の方法としては、射出成形により、溝付き補強板を形成する方法がある。
【００２２】
上記いずれの形成方法を用いてもよいが、ＦＰＣ等の配線と一体的に成形する必要がない。補強板１１ａ，１１ｂを射出成形する場合でも、同じ厚みのＦＰＣについては、共通の構造にすることができる。
【００２３】
ＦＰＣ２１は、回路層が形成されたベースフィルムと、ベースフィルムを被覆するカバーレイとを備える構造が一般的である。ベースフィルムの材料としては、ポリイミド樹脂，ポリエステル樹脂，ガラスエポキシ樹脂等がある。カバーレイの材料としては、一般的には、ベースフィルムと同じ材料が用いられる。その他、エポキシ樹脂，アクリル樹脂，ポリイミド樹脂，ポリウレタン樹脂などが用いられる。
【００２４】
配線体２０の配線部材としては、ＦＰＣ２１に限られるものではない。ＦＰＣ２１の他には、リジッドプリント配線板（ＰＣＢ），フラットケーブルなどがある。これらの平板状の配線部材であれば、補強板を取り付けて防水構造を実現することができる。
【００２５】
補強板１１ａ，１１ｂの材料としては、ガラスエポキシ樹脂，エポキシ樹脂，アクリル樹脂，ポリイミド樹脂，ポリウレタン樹脂などがある。特に、ＦＰＣ２１のベースフィルムやカバーレイと共通の材料を用いることができる。これらの樹脂材料として、形成方法に適したものを選択して用いることができる。
【００２６】
接着剤層１４ａ，１４ｂの材料としては、エポキシ樹脂，アクリル樹脂，ポリイミド樹脂，ポリウレタン樹脂等があり、いずれの樹脂を用いてもよい。特に、アクリル樹脂により、補強板１１ａ，１１ｂとＦＰＣ２１等の配線部材との間における浸水防止を確実に行うことができる。
【００２７】
本実施の形態によると、以下の作用効果が得られる。
１対の補強板１１ａ，１１ｂにより、配線部材（ＦＰＣ２１）の強度が補強される。したがって、ＦＰＣ等の薄い柔軟な配線部材にも、シール部材（Ｏリング１３）を取り付けることができる。よって、補強板１１ａ，１１ｂとＯリング１３とを備えた簡素な嵌合部１５により、防水構造を実現することができる。
補強板１１ａ，１１ｂは、ＦＰＣ等の配線部材と一体的に成形する必要がない。したがって、ＰＣ等の配線部材の設計変更にも柔軟に対応することができる。また、そのことにより、安価に製造することができる。
【００２８】
特に、接着剤層１４ａ，１４ｂを、アクリル樹脂により構成することで、著効が得られる。アクリル樹脂は、水分や湿気に対する耐性が高く、しかも、高温においても、耐性を維持することができる。よって、アクリル樹脂を用いることにより、補強板１１ａ，１１ｂとＦＰＣ２１等の配線部材との間における浸水防止を確実に行うことができる。
なお、Ｏリング１３と、補強板１１ａ，１１ｂとの間にも接着剤層を設けてもよい。そうすることによって、防水機能をさらに高めることができる。
【００２９】
また、本実施の形態では、配線体２０，表示部筐体３１，および入力部筐体４１による接続構造が構成されている。このような接続構造により、２つの筐体内の回路を接続する配線部材を設けても、防水機能を確保することができる。
【００３０】
特に、携帯端末１においては、事故で水中に落下させたり、入浴中での電話に応じる、など防水機能拡大の要請が大きい。本実施の形態の携帯端末１は、安価で防水機能の高いものであり、このような要請に十分応えることができる。
なお、電子機器としては、ＰＤＡ，パソコン、デジタルカメラ等があり、携帯端末１に限定されるものではない。
【００３１】
（実施の形態１の変形例）
図５（ａ），（ｂ）は、順に、実施の形態１の変形例１，２に係る嵌合部１５の構造を示す縦断面図である。図５（ａ），（ｂ）において、図４（ａ），（ｂ）と同じ部材については同じ符号を付して、説明を省略する。
【００３２】
図５（ａ）の変形例１に係る嵌合部１５は、シール部材として、熱収縮チューブ１６を備えている。熱収縮チューブは、電子線架橋されたポリエチレン樹脂などからなる。使用される樹脂材料としては、ポリオレフィン樹脂，フッ素系ポリマー，熱可塑性エラストマーなどがある。熱収縮チューブは、熱風を当てると、４０〜５０％程度収縮する。したがって、ＦＰＣ２１を挟んだ補強板１１ａ，１１ｂの断面積よりも大きめの熱収縮チューブ１６を用いればよい。
【００３３】
本変形例においても、シール部材である熱収縮チューブ１６が嵌合される貫通穴３３，４３を各筐体３１，４１に設ける。これにより、上記実施の形態１と同様に、設計変更に柔軟に対応可能で、安価な防水構造を実現することができる。
【００３４】
本変形例では、補強板１１ａ，１１ｂに溝部がなくてもよい。ただし、図５（ａ）の破線に示すＵ型の溝部１２を設けることにより、熱収縮チューブ１６がはずれるのを確実に防止することができる。
【００３５】
また、接着剤付き熱収縮チューブを用いることが好ましい。これにより、熱収縮チューブ１６と補強板１１ａ，１１ｂとの間においても、確実に防水機能を果たすことができる。
【００３６】
図５（ｂ）の変形例２に係る嵌合部１５は、第１，第２補強板１１ａ，１１ｂに、貫通溝である溝部１２を設けたものである。貫通溝によって、各補強板１１ａ，１１ｂは、それぞれ２つの部分に分断される。このような構造によっても、上記実施の形態１と同様に、防水機能を有する，安価な配線体２０や電子機器が得られる。
【００３７】
（実施の形態２）
図１は、本発明の実施の形態２に係る携帯端末（電子機器）の構造を概略的に示す斜視図である。
携帯端末１は、各種情報を表示するための表示部３と、入力部４と、スライド部８とを備えている。表示部３には、液晶表示パネルを用いた表示装置６やスピーカ等が設けられている。入力部４には、入力キーやマイクが設けられている。スライド部８は、表示部３側に設けられた外枠８ａと、入力部４側に設けられた内枠８ｂとを、滑動自在に嵌合させて構成されている。
【００３８】
図７は、実施の形態２に係る携帯端末１のスライド部８を介した接続部分の構成を示す断面である。同図において、実施の形態１における図２に示す部材と同じ機能を有する部材については、同じ符号を付して説明を省略する。
本実施の形態においては、入力部筐体３１，表示部筐体４１の各第１筐体３１ａ，４１ａに、貫通穴３３，４３が設けられている。
【００３９】
また、スライド部８を経て、入力キー基板４５と表示部基板３５とを接続する配線体２０が設けられている。配線体２０は、実施の形態１と同様に、ＦＰＣ２１と、ＦＰＣ２１の両端に設けられたハーネス部２５ａ，２５ｂとを備えている。
さらに、配線体２０には、各筐体３１，４１の貫通穴３３，４３に嵌合される嵌合部１５が２カ所に設けられている。
【００４０】
図８は、実施の形態２における嵌合部１５の断面図である。嵌合部１５の平面形状は、図４（ｂ）に示す通りであるので、図示を省略する。図８において、実施の形態１における図２に示す部材と同じ機能を有する部材については、同じ符号を付して説明を省略する。
同図に示すように、本実施の形態の嵌合部１５においては、第１，第２補強板１１ａ，１１ｂが、平板状ではない。第１，第２補強板１１ａ，１１ｂは、ＦＰＣ２１の長さ方向に沿って互いに逆向きに傾斜している。そして、ＦＰＣ２１および第１，第２補強板１１ａ，１１ｂの合計厚みは、各部位で均一である。
【００４１】
図７の部分拡大図に示すように、表示部筐体３１の貫通穴３３には、Ｏ型溝３３ａが形成されている。図示しないが、同様に、入力部筐体４１の貫通穴４３にも、同じ形状のＯ型溝（図示せず）が形成されている。そして、嵌合部１５中のＯリング１３が貫通穴３３，４３のＯ型溝３３ａ等に嵌合している。
【００４２】
本実施の形態によると、ＦＰＣ２１の両面に１対の補強板１１ａ，１１ｂを設けたことにより、実施の形態と同じ効果が得られる。
一方、本実施の形態においては、第１，第２補強板１１ａ，１１ｂが互いに逆向きに傾斜している。これにより、ＦＰＣ２１が、第１筐体３１ａの板面に垂直な方向から傾いた、斜め方向から挿入されている。以下、実施の形態１と実施の形態２との作用効果の相違について、説明する。
【００４３】
図１０（ａ），（ｂ）は、順に、実施の形態１に係る接続構造、実施の形態２に係る接続構造を簡略化して示す断面図である。図１０（ａ）は、実施の形態１における嵌合部１５をスライド式携帯端末に採用したときを示している。図１０（ｂ）は、実施の形態２における嵌合部１５及び接続構造を示している。図１０（ａ），（ｂ）は、いずれもＦＰＣ２１が引っ張られたときの状態を示している。すなわち、入力部筐体４１の入力キー等が最大限露出される位置まで、表示部筐体３１がスライドした状態を示している。
【００４４】
図１０（ａ）に示す構造の場合、ＦＰＣ２１が第１筐体３１ａ，４１ａの板面に垂直な方向にあるので、ＦＰＣ２１の張力Ｔによって大きな曲げ力Ｍが嵌合部１５に作用する。そのために、嵌合部１５のシール部材（図７に示すＯリング１３）と貫通穴壁面（図７に示す溝部３３ａ）との接触部におけるシール性が悪化するおそれがある。一方、図１０（ｂ）のように、ＦＰＣ２１が第１筐体３１ａ，４１ａの板面に垂直な方向から傾いていると、嵌合部１５には、小さな曲げ力ｍしか加わらない。
よって、本実施の形態により、ＦＰＣ２１が引っ張られたときにも、上述のようなシール性の悪化を抑制することができる。
ただし、ＦＰＣ２１が傾く方向は、ＦＰＣ２１が引っ張られたときに、張力Ｔが加わる方向である。
【００４５】
また、ＦＰＣ２１が、筐体の板面に垂直な方向から傾いていることにより、スライド部８において、ＦＰＣ２１が筐体の板面に近づく。よって、ＦＰＣ２１をスライド部８にコンパクトに収納することができる。
すなわち、このような嵌合部１５の構造は、スライド部８の高さ方向のスペースを節約したいスライド式携帯端末に適している。
【００４６】
（実施の形態２の変形例）
図９は、実施の形態２の変形例に係る接続構造を示す縦断面図である。
この変形例においては、配線体２０の嵌合部１５の構造は、実施の形態１と同じである（図４（ａ）参照）。一方、貫通穴３３は、表示部筐体３１の第１筐体３１ａの板面に垂直な方向から傾くように形成されている。図示しないが、入力部筐体４１の第１筐体４１ａにおいても、貫通穴が第１筐体４１ａの板面に垂直な方向から傾くように形成されている。
【００４７】
本変形例によっても、ＦＰＣ２１が第１筐体３１ａの板面に垂直な方向から傾いているので、実施の形態２と同じ効果を発揮することができる。
【００４８】
（他の実施の形態）
上記開示された本発明の実施の形態の構造は、あくまで例示である。したがって、本発明の範囲はこれらの記載の範囲に限定されるものではない。本発明の範囲は、特許請求の範囲の記載によって示される範囲を含む。さらに、本発明の範囲は、特許請求の範囲の記載と均等の意味及び範囲内でのすべての変更を含む。
【産業上の利用可能性】
【００４９】
本発明の配線体は、携帯端末，ＰＤＡ，パソコン，デジタルカメラなどの電子機器に利用することができる。
【図面の簡単な説明】
【００５０】
【図１】本発明の実施の形態１に係る携帯端末の構造を概略的に示す斜視図である。
【図２】実施の形態１に係る携帯端末のヒンジ部を介した接続部分の構成を示す断面である。
【図３】実施の形態１に係る配線体の平面図である。
【図４】（ａ），（ｂ）は、順に、実施の形態１の嵌合部の断面図および平面図である。
【図５】（ａ），（ｂ）は、順に、実施の形態１の変形例１，２に係る嵌合部の構造を示す縦断面図である。
【図６】本発明の実施の形態２に係る携帯端末の構造を概略的に示す斜視図である。
【図７】実施の形態２に係る携帯端末のスライド部を介した接続部分の構成を示す断面である。
【図８】実施の形態２に係る嵌合部の断面図である。
【図９】実施の形態２の変形例に係る接続構造の縦断面図である。
【図１０】（ａ），（ｂ）は、順に、実施の形態１に係る接続構造、実施の形態２に係る接続構造を簡略化して示す断面図である。
【符号の説明】
【００５１】
１      携帯端末（電子機器）
３      表示部
４      入力部
５      ヒンジ部
６      表示装置
８      スライド部
８ａ    外枠
８ｂ    内枠
１１ａ  第１補強板
１１ｂ  第２補強板
１２    溝部
１３    Ｏリング
１４ａ  第１接着剤層
１４ｂ  第２接着剤層
１５    嵌合部
１６    熱収縮チューブ
２０    配線体
２１    ＦＰＣ（配線部材）
２５ａ，２５ｂ  ハーネス部
３１    表示部筐体
３１ａ  第１筐体
３１ｂ  第２筐体
３３    貫通穴
３３ａ  Ｏ型溝
４１    入力部筐体
４１ａ  第１筐体
４１ｂ  第２筐体
４３    貫通穴
【図１】
2010034170.tif 000003
【図２】
2010034170.tif 000004
【図３】
2010034170.tif 000005
【図４】
2010034170.tif 000006
【図５】
2010034170.tif 000007
【図６】
2010034170.tif 000008
【図７】
2010034170.tif 000009
【図８】
2010034170.tif 000010
【図９】
2010034170.tif 000011
【図１０】
2010034170.tif 000012